(57)【要約】【課題】食料品等の購入持ち帰り時に利用する買い物バッグを、伸縮自在の袋体と収納具から構成し不使用時は収納具に収納具に収納してズボンベルトやカバンに装着して携帯可能となる収納式買い物バッグを提供する。【解決手段】伸縮自在の買い物バッグと、その買い物バッグを収納するための両端を開口させた筒状の収納具からなる。筒状の収納具にひもを貫通させ、収納具の外側でループ状にしてひもは収納具の内部を自由に動く。ひもにフックを設ける。収納具の側面に複数のベルト通しを設けベルトに通してズボンに係止自在とする。小さく収縮させた買い物バッグを収納具に入れて、フックに掛け、ひもを引くことによって買い物バッグを取り出し可能とする。【選択図】図４
2010005352.tif 000002
【特許請求の範囲】
【請求項１】
可撓性合成樹脂からなる略筒状の両端を開口したバッグ収納具と、上面を開口した網目状の袋である買い物バッグからなり、バッグ収納具にひもを挿通してループ状に形成し、ひもは買い物バッグを係止する係止手段を一又は複数固着し、折り畳んだ買い物バッグをバッグ収納具に収納自在とし、かつひもを回動してひもに固着された係止手段により買い物バッグを引っ掛けバッグ収納具から引き出し可能とする収納式買い物バッグ。
【請求項２】
ひもに固定した係止具はフックであることを特徴とする請求項１の収納式買い物バッグ。
【請求項３】
バッグ収納具はその側面の表面に複数のベルト通しを間隔をあけて設け各ベルト通しにベルトを通してベルトに係止自在な構成であることを特徴とする請求項１又は２の収納式買い物バッグ。
【請求項４】
バッグ収納具はベルトの側面にベルトと一体に設けられていることを特徴とする請求項１又は２の収納式買い物バッグ。
【請求項５】
前記バッグ収納具は、その側面に係止手段を設け、このバッグ又はかばん内部又は外部に設けた被係止手段に係止自在な構成であることを特徴とする、請求項１又は２の収納式買い物バッグのセット。
【請求項６】
買い物バッグは袋体の開口部周辺に人の指が入る孔を間隔をあけて設けこれらの孔にひもを通して当該ひもを閉め付けて前記開口部を閉じる構成したことを特徴とする、請求項１の収納式買い物バッグ。
【発明の詳細な説明】
【技術分野】
【０００１】  この発明は通勤などの帰宅時に、スーパー店などで買い物をしたときに、購入商品を入れて持ち帰るための収納式買い物バッグに関するものである。
【背景技術】
【０００２】  従来、携帯を便利にする買い物バッグは種々、開発されている。たとえばバッグに握り手を取り付け巻き上げネットをベルトで取り付けるものがあり、かさばらないようになっている。（特許文献１）。【０００３】  しかしながら上記特許文献１のものは握り手がかさばるようになっており、ネットを巻き上げるベルトもかさばるものとなっている。
【特許文献１】  特開２００２−２２３８２９号公報
【発明の開示】
【発明が解決しようとする課題】
【０００４】  この発明は従来技術を考慮し、かさばらず小型で持ち運びが便利で、バッグ本体の容量を大きく出来、上記の課題を解決しようとするものである。
【課題を解決するための手段】
【０００５】  本発明は、可撓性の合成樹脂からなる略筒状であって両端を開口したバッグ収納具と、上面を開口した網目状の袋である買い物バッグからなり、前期バッグ収納具に買い物バッグは収納自在とする。バッグ収納具にはひもを挿通してバッグ収納具の外側でループ状に形成し、ひもは買い物バッグを係止する係止手段を一又は複数を固着している。折り畳んだ買い物バッグをバッグ収納具に収納自在とし、かつひもを回動してひもに固着された係止手段により買い物バッグを引っ掛け、バッグ収納具から引き出し可能とする。以上の構成よりなる収納式買い物バッグである。【０００６】  請求項２の発明によれば、前記紐状体に固定した係止具はフックであることを特徴とする。【０００７】  請求項３の発明によれば、前記バッグ収納具は、その側面に複数のベルト通しを、間隔をあけて設け、各ベルト通しにベルトを通してベルトに係止自在な構成であることを特徴としバッグを携行する時に邪魔にならないようズボンのベルトに収納具を装着可能にした。【０００８】  請求項４の発明によれば、前記バッグ収納具はベルトの側面に、ベルトと一体に設けられていることを特徴とし収納具を改めてベルトに装着する必要がなくなり外観もよくなる。【０００９】  請求項５の発明によれば、前記バッグ収納具は、その側面に係止手段を設け、このバッグ又はかばん内部又は外部に設けた被係止手段に係止自在な構成であることを特徴としベルトを使用しない女性などで、バッグを携行する人に買い物バッグの携行が容易になるようにした。【００１０】  請求項６の発明によれば、前記買い物バッグは袋体の開口部周辺に人の指が入る孔を、間隔をあけて設け、これらの孔にひもを通して当該ひもを閉め付けて前記開口部を閉じる構成としたことを特徴とし、購入品をマイバッグに入れて使用する時は、孔に手指を貫通させ手指を引っ掛けて持ち上げて携行使用するようにした。
【発明の効果】
【００１１】  本発明は、食料品等の購入持ち帰りに利用する買い物バッグを、伸縮自在の袋体と収納具から構成し、不使用時は収納具に収納して携帯可能としたものである。その収納具は買い物バッグを収納した状態で男性はズボンベルトに、女性は通常利用するバッグに装着自在としている。従って買い物バッグの不使用時は、邪魔にならず携帯が軽便である。買い物バッグを使用する時は、収納具から即座に取り出して手にぶら下げることができる。
【発明を実施するための最良の形態】
【００１２】以下、本発明の実施の形態を説明する。
図１及び図２は、買い物バッグの構造を示す図である。構造は一方が開口し、他端が閉鎖した伸縮自在の円筒形の網目状からなる袋体（４）である。
袋体（４）の開口部（６）周縁に、使用者の手（１）の手指が入る指孔（３）を間隔をあけて複数設けこれらの指孔（３）に、絞りひも（２）を指孔（３）を縫うように通して結束し輪状にする。購入商品（５）を袋体（４）に入れた時絞りひも（２）を引き開口部（６）を締め付けて開口部（６）を閉じる。絞りひも（２）を引き、開口部（６）を締め付けて開口部（６）を閉じると、指孔（３）が集合して利用者が自分の手指を指孔（３）に通しやすくなる。指孔（３）に手指を挿入貫通させ、手指を引っ掛け持ち上げて携行運搬するか、絞りひも（２）を引き、開口部（６）を締め付けて開口部（６）を閉じた後に絞りひも（２）を腕や肩に掛けたり、手に持っても携行運搬が可能である。
図３及び図４は、ベルト装着用収納具の構造図である。収納具（８）は両端が開口した中空の筒状である。また収納具は軟質樹脂あるいはゴム材からなり可撓性を有する。
筒状の収納具（８）の中にひも（９）を貫通させ収納具の外側でループ状にし、ひも（９）が収納具内部を摺動自由に動く状態にし、ひも（９）に収納具（８）の内部を貫通する大きさの逆Ｕ字状のフック（１０）を１個または複数個、固着しておく。収納具（８）の側面の表面に複数のベルト通し（１２）を間隔をあけて設け各ベルト通しにベルト（１５）を通して、ベルト（１５）に収納具（８）係止する。図４はベルト（１５）にベルト装着用収納具を装着した図である。
図５は収納具（８）を装着したベルト（１５）をズボン（１６）に取り付けた図である。
収納具（８）はベルト（１５）とズボン（１６）の間に入るように装着することで、外見を損なわない。図６に基づき袋体を収納具から取り出す方法を説明する。ひも（９）を矢印方向に引き袋体（４）の孔を引っ掛けた状態のフック（１０）が開口部（６）から露出した状態にする。
次に袋体（４）をフック（１０）から指でつまんで出す。フック（１０）から外した袋体（４）を指でつまんで、収納具（８）の中から開口部（６）の外に引き出す。引き出した袋体（４）を図７は、ベルト本体を収納具（８）とした図である。ベルト（１５）の身体側に買い物バッグの長さより長い間隔で開口部（６）を２箇所設けて、両開口部の間を空洞筒型にし、空洞筒型の部分を収納具に使用する。空洞筒型内部にひも（９）を通し、空洞筒型の外でループにしてひも（９）に空洞筒型内部を貫通する大きさのフック（１０）を固着する。
図８は鞄に収納具（８）を取り付けた図である。鞄の内側に収納具（８）を縫い付けたり、糊付けしたり面ファスナーなどで取り付ける。図９は鞄本体を収納具にした図である。
鞄の内側に、袋体（４）の長さより長い間隔で開口部（６）を２箇所設け、両開口部の間を空洞筒型にし、空洞筒型の部分を収納具（８）に使用する。空洞筒型内部にひも（９）を通し空洞筒型の外でループにして、ひも（９）に空洞筒型内部を貫通する大きさのフック（１０）を固着する。図１０に基づき袋体（４）を収納具（８）に収納する方法を説明する。
まず収納具（８）のひも（９）を開口部方に引きフック（１０）を開口部（６）から露出させる。袋体（４）の孔を揃えて重ね、重ねまとめた孔をフック（１０）に引っ掛ける。次に袋体の孔をフック（１０）に引っ掛けたままでフック（１０）が開口部（６）に引っかからないようにしながらひも（９）を矢印方向に引きながら、買い物バッグを開口部（６）から、フック（１０）と共に収納具（８）の中に引き込む。図１１は、さらにひも（９）を引きながらフック（１０）を収納具（８）の中に引き込み反対の開口部（６）から、フック（１０）が出ない位置でフック（１０）を止める。この状態で袋体（４）は収納具（８）の中に収納された位置にとどまる。
【図面の簡単な説明】
【００１３】
【図１】本発明の買い物バッグの使用状態を示す斜視図
【図２】本発明の買い物バッグの斜視図
【図３】本発明の収納具の斜視図
【図４】本発明の使用状態を示す斜視図
【図５】本発明の使用状態を示す斜視図
【図６】本発明の使用状態を示す斜視図
【図７】本発明の使用状態を示す斜視図
【図８】本発明の使用状態を示す斜視図
【図９】本発明の使用状態を示す斜視図
【図１０】本発明の使用状態を示す斜視図
【図１１】本発明の使用状態を示す斜視図
【符号の説明】
【００１４】  １  使用者の手
２  絞りひも
３  指孔
４  袋体
５  購入商品
６  開口部
７  閉鎖部
８  収納具
９  ひも
１０  フック
１１  フック固着部
１２  ベルト通し
１３  ベルトバックル
１４  身体側
１５  ベルト
１６  ズボン
１７  矢印
１８  身体接触側
１９  固着部分
２０  ハンドバッグ
【図１】
2010005352.tif 000003
【図２】
2010005352.tif 000004
【図３】
2010005352.tif 000005
【図４】
2010005352.tif 000006
【図５】
2010005352.tif 000007
【図６】
2010005352.tif 000008
【図７】
2010005352.tif 000009
【図８】
2010005352.tif 000010
【図９】
2010005352.tif 000011
【図１０】
2010005352.tif 000012
【図１１】
2010005352.tif 000013